(57)【要約】【課題】柔らかい畝間の土の上を簡単に移動でき且つ必要箇所で停止して安定的に固定でき、安全に農作業が出来る車輪付きの農作業用足場台である。【解決手段】長尺板状の踏板部１と、踏板部１の一方の短辺側に形成された取っ手２と、該短辺側に設けられ、下方に伸びた前脚３及び前脚３の下端に水平に設けられ、短辺より長く、左右の先端が踏板部１の長辺より外側に位置するように設けられた接土板４と、踏板部１の他方の短辺側に設けられ、下方に伸びた後脚５及び後脚５に回転自在に設けられ、踏板部１の長辺より外側に位置するように設けられた左右一対の車輪６とで構成されたことの特徴とする。【選択図】図２
2014004937.tif 000002
【特許請求の範囲】
【請求項１】
長尺板状の踏板部と、
踏板部の一方の短辺側に形成された取っ手と、
該短辺側に設けられ、下方に伸びた前脚及び前脚の下端に水平に設けられ、短辺より長く、左右の先端が踏板部の長辺より外側に位置するように設けられた接土板と、
踏板部の他方の短辺側に設けられ、下方に伸びた後脚及び後脚に回転自在に設けられ、踏板部の長辺より外側に位置するように設けられた左右一対の車輪とで構成されたことの特徴とする農作業用足場台。
【発明の詳細な説明】
【技術分野】
【０００１】
本発明は、露地栽培やビニールハウス栽培で使用される車輪付きの農作業用足場台の改良に関する。
【背景技術】
【０００２】
従来、キュウリやトマトなどの蔓もの露地栽培やビニールハウス栽培では、マルチ張りした畝に所定間隔で２ｍ程度の支柱を立て、これに作物を絡ませて育てることになるが、作物の育成過程で、蔓の剪定、芽摘み、受粉作業、収穫、収穫途中での蔓おろし等の農作業が行われる。これに際して、作業者の手の届き難い高位置での作業を行う必要がある場合は、梯子や脚立等を利用して作業を行っていた。
【０００３】
このように作業者が梯子や脚立を用いて高位置での作業を行うのは、位置を変更する度にいちいち梯子や脚立より降りて移動して再び登るので非能率的である。そこで、高位置での作業スペースが確保でき、作業者が該高位置に位置しながら畝間を走行できる台車が望ましいとして、畝間を運搬でき、多機能と多方面の使用可能な多機能三輪台車が提案された（特許文献１）。
【０００４】
このものは、収穫バケットや運搬物の滑り止めを設けた荷台と、これを固定する台車フレームと、その延長からなる先端フレームの前側中央に軸支して操作部から確認できる位置に設けた一輪の接地部柔軟性前輪支持車輪と、荷台後方下側フレームに左右一対の車輪固定板にシャフトで構成した接地部柔軟性二輪車輪と、荷台の両端から伸びた操作ハンドルと、接地部柔軟性前輪支持車輪の直上に設けた台車停止装置とを有するもので、操作ハンドルを持って押すことにより畝間を移動して、所定の位置で止めることにより作業できるようにものである。その際に、前記操作ハンドルは地面まで下げることができ、下端に設けた転倒防止円板と台車停止装置を操作して回転しないようにロック固定した一輪の接地部柔軟性前輪支持車輪とで３点支持形による転倒防止がなされる。
【先行技術文献】
【特許文献】
【０００５】
【特許文献１】特開２００５−７５３２７
【発明の概要】
【発明が解決しようとする課題】
【０００６】
しかしながら、特許文献１に記載の発明にあっては、畝間という柔らかい土の上に三輪台車を三点支持で固定し、その上に人が乗って作業するというのであるから、一輪の接地部柔軟性前輪支持車輪側に乗った場合には重心の掛け方によっては転倒する虞がある。また、二輪車輪側には操作ハンドルが上に伸びているため、作業の邪魔になる。さらに、三点支持のために操作ハンドルや台車固定装置を停止する度毎に解除・ロック作業をしなければならず、非常に煩わしい。
【０００７】
本発明はこのような問題点を解決するためになされたもので、柔らかい畝間の土の上を簡単に移動でき且つ必要箇所で停止して安定的に固定でき、安全に農作業が出来る車輪付きの農作業用足場台を提供するものである。
【課題を解決するための手段】
【０００８】
請求項１に記載の車輪付き農作業用足場台Ａは、
長尺板状の踏板部１と、
踏板部１の一方の短辺側に形成された取っ手２と、
該短辺側に設けられ、下方に伸びた前脚３及び前脚３の下端に水平に設けられ、短辺より長く、左右の先端が踏板部１の長辺より外側に位置するように設けられた接土板４と、
踏板部１の他方の短辺側に設けられ、下方に伸びた後脚５及び後脚５に回転自在に設けられ、踏板部１の長辺より外側に位置するように設けられた左右一対の車輪６とで構成されたことの特徴とする。
【発明の効果】
【０００９】
これによれば、取っ手２を持って踏板部１の一方の端部を持ち上げ、そのまま引っ張っていくと後端側の車輪６が回転して、畝７間の土の上を簡単に移動させることができ、次の作業位置で取っ手２側を下すと前脚３の接土板４が畝７間の土の上に接地される。この時、左右の先端が踏板部１の長辺より外側に位置するように設けられた接土板４と、該長辺より外側に位置するように設けられた左右一対の車輪６とで農作業用足場台Ａが畝７間の土の上にぐらつくことなく固定される。その結果、例えば、マルチ張りの畝７に立てた支柱８に絡む、作業者の手の届き難い高位置での作物の蔓の剪定、芽摘み、受粉作業、収穫等の農作業を、踏板部１の上に乗って作業者が胸の位置で快適かつ安全に行うことができる。そして、この農作業用足場台Ａの踏板部１は、長尺板状のもので形成されているので、作業者は梯子や脚立等を利用して作業を行う場合と違って、その上を歩いて移動することができ、農作業をより効率的に行うことができる。
【図面の簡単な説明】
【００１０】
【図１】本発明の農作業用足場の平面図ある。
【図２】図１の正面図である。
【図３】本発明の農作業用足場を使用して農作業をしているときの図である。
【図４】本発明の農作業用足場の前脚の第２実施例の部分正面図である。
【図５】本発明の農作業用足場の取っ手の第２実施例の部分平面図である。
【図６】本発明の農作業用足場の前・後脚の第３実施例の正面図である。
【発明を実施するための形態】
【００１１】
以下、本発明を図示実施例に従って説明する。農作業用足場台Ａは、踏板部１と、取っ手２と、前・後脚３，５と、接土板４及び車輪６とで構成されている。踏板部１は、長辺が１．５〜２．５ｍ（本実施例では２ｍ±０．２ｍ）、短辺が０．２〜０．３ｍ（本実施例では０．２４ｍ±０．２ｍ）の細長い長方形で、長辺及び短辺が下方に折り曲げられており、その材質はアルミニウムである。そして、その上面には滑り止めの凹凸９が形成されている。踏板部１の長さは２ｍ前後がビニールハウス内で畝７から畝７に移動する場合に最適で、２．５ｍ以上になると畝７から畝７に移動する際に回りづらく、１．５ｍ以下では踏板部１に乗っての移動作業では短すぎる。また、畝７間の幅から、短辺が０．２４ｍ±０．２ｍが好ましく、０．２ｍ以下であると、幅が狭すぎて不安定になるだけでなく、踏板部１に乗っての農作業には狭すぎる。０．３ｍ以上になると、畝７間を通しづらくなる。
【００１２】
踏板部１の前端にはＵ字状の取っ手２が水平に取り付けられている。取っ手２の別の実施例としては図５のように、踏板部１の前端部分に長円状の通孔を形成して取っ手２としてもよい。
【００１３】
そして、踏板部１の前端部分の両側面には左右一対の前脚３が設けられている。前脚３の一例は図のとおりで、垂直方向に設置され、その上端部分が踏板部１の前端部分の側面に溶接されている前脚本体３ａと、前脚本体３ａの後方寄りの部分でその上端部分が踏板部１の前端部分の側面に溶接され、下端部分が前脚３の中間部分に溶接された傾斜補強材３ｂとで構成されている。そして、前脚本体３ａの下端間に水平に設けられ、かつ、短辺より長く設けられた接土板４が溶接にて架設されており、接土板４の左右両端の先端が踏板部１の長辺より外側に位置するように設けられている。接土板４の前後方向の幅は１５ｃｍ±５ｃｍで、１０ｃｍ以下だと柔らかい土にめり込みやすく、２０ｃｍ以上だと広すぎて凹凸のある土に表面に馴染みにくい。
【００１４】
踏板部１の後端部分の両側面には左右一対の後脚５が設けられている。後脚５の一例も図の通りで、垂直方向に設置され、その上端部分が踏板部１の後端部分の側面に溶接されている後脚本体５ａと、後脚本体５ａの前方寄りの部分でその上端部分が踏板部１の前端部分の側面に溶接され、下端部分が後脚５の中間部分に溶接された傾斜補強材５ｂとで構成されている。そして、後脚本体５ａの下端間に水平に挿通された車軸５ｃの両端に回転自在に左右一対の車輪６が取り付けられている。車輪６は互いに独立して回転する。
【００１５】
車輪６は、いわゆるノーパンクタイヤと呼ばれる、接地面が幅広で、その外周面に多数の排水用の凹凸が設けられており、畑の畝７間の柔らかい土に馴染み、且つ人が踏板部１の上に乗って作業したり歩き回ってもめり込まないタイヤである。
【００１６】
踏板部１の高さは、３０ｃｍ±１０ｃｍで、踏板部１上に乗った人が水平に手を伸ばした状態で支柱８の上端まで伸びて絡まった作物の世話をするのに好適な高さに設定されている。
【００１７】
しかして、作業者が農作業用足場台Ａの取っ手２を手に取り、踏板部１の前端側を持ち上げ、後端側の車輪６を回転させて畝７間を引っぱり、所定の位置で踏板部１の前端側を下して農作業用足場台Ａを設置する。農作業用足場台Ａの接土板４は畝７間の凸凹した土に対して面接する。そして、作業者は踏板部１の上に乗り、踏板部１の端から端まで移動しながら前述のような作業を行う。換言すれば、踏板部１の長さが２ｍ内外なので、その長さの範囲だけ移動しつつ作業することができる。そして、その時、接土板４の左右両端及び車輪６は踏板部１の側面より外側に位置しているため、作業者が踏板部１の上をどのように移動しても農作業用足場台Ａがぐらつくことがないし、柔らかい土にめり込むこともない。
【００１８】
その部分の作業が終わると、作業者は農作業用足場台Ａから降りて前述のように農作業用足場台Ａを隣接する次の作業位置まで移動させ、同様の作業を行う。このようにして、畝７に沿って作業を終了すると隣の畝７に移ることになるが、踏板部１の長さが２ｍ内外なので、ビニールハウス内であったとしても平行に設けられた畝７から畝７へ農作業用足場台Ａを引き回すことができる。
【００１９】
なお、図４のように接土板４の下面に突起４ａを突設しておけば、この突起４ａが接地させた時に土に刺さって接土板４の固定をより強固にする。
【００２０】
また図６に示すように、前脚本体３ａ及び後脚本体５ａを２重にし、筒状の太い前脚本体基部３ａ１又は後脚本体基部５ａ１に細い前脚本体下部３ａ２又は後脚本体下部５ａ２をスライド可能に挿入し、前脚本体下部３ａ２又は後脚本体下部５ａ２にその長手方向に穿設された高さ調整通孔１２のいずれかを選択して前脚本体基部３ａ１又は後脚本体基部５ａ１の固定孔１３にピン１０を挿脱することで農作業用足場台Ａの高さを調整できる。車軸５ｃは後脚本体下部５ａ２に架設され、その外側に独立回転可能に取り付けられる。
【符号の説明】
【００２１】
Ａ：農作業用足場台，１：踏板部，２：取っ手，３：前脚，３ａ：前脚本体，３ａ１：前脚本体基部，３ａ２：前脚本体下部，３ｂ：傾斜補強材，４：接土板，５：後脚，５ａ：後脚本体，５ａ１：後脚本体基部，５ａ２：後脚本体下部，５ｂ：傾斜補強材，５ｃ：車軸，６：車輪，７：畝，８：支柱，９：凹凸，１０：ピン，１２：高さ調整通孔，１３：固定孔。
【図１】
2014004937.tif 000003
【図２】
2014004937.tif 000004
【図３】
2014004937.tif 000005
【図４】
2014004937.tif 000006
【図５】
2014004937.tif 000007
【図６】
2014004937.tif 000008